(57)【要約】【課題】コンペンチェーン／ケーブルの引掛りを簡易な構造で検知でき、また検知時にコンペンチェーン／ケーブルの引掛り検知装置を破損させることのない引掛り検知装置を提供する。【解決手段】エレベータの乗かごと釣り合い錘が昇降する昇降路内に、乗かごと釣り合い錘との間に吊り下げられたコンペンチェーン／ケーブルの引掛りを検知するためのエレベータコンペンチェーン／ケーブルの引掛り検知装置であって、昇降路下部に２つのブラケットを片持ち固定配置し、当該２つのブラケットの自由端間に上方に移動可能に可動バーを配置し、乗かごと釣り合い錘との間に吊り下げられたコンペンチェーン／ケーブルが可動バーを跨ぐように配置するとともに、可動バーの上方移動に連動して作動する接点機構を備えることを特徴とする。【選択図】図２
2015157663.tif 000002
【特許請求の範囲】
【請求項１】
エレベータの乗かごと釣り合い錘が昇降する昇降路内に、前記乗かごと前記釣り合い錘との間に吊り下げられたコンペンチェーン／ケーブルの引掛りを検知するためのエレベータコンペンチェーン／ケーブルの引掛り検知装置であって、
前記昇降路下部に２つのブラケットを片持ち固定配置し、当該２つのブラケットの自由端間に上方に移動可能に可動バーを配置し、前記乗かごと前記釣り合い錘との間に吊り下げられた前記コンペンチェーン／ケーブルが前記可動バーを跨ぐように配置するとともに、
前記可動バーの上方移動に連動して作動する接点機構を備えることを特徴とするエレベータコンペンチェーン／ケーブルの引掛り検知装置。
【請求項２】
請求項１に記載のエレベータコンペンチェーン／ケーブルの引掛り検知装置であって、
前記接点機構によりエレベータの前記乗かごの休止、停止処理を実行することを特徴とするエレベータコンペンチェーン／ケーブルの引掛り検知装置。
【請求項３】
請求項１または請求項２に記載のエレベータコンペンチェーン／ケーブルの引掛り検知装置であって、
前記昇降路下部に片持ち固定配置されたブラケットは、その自由端側に上方開口された係止部を備え、当該係止部に前記可動バーが置かれていることを特徴とするエレベータコンペンチェーン／ケーブルの引掛り検知装置。
【請求項４】
請求項３に記載のエレベータコンペンチェーン／ケーブルの引掛り検知装置であって、
前記係止部の長さは、前記可動バーの直径の２倍以上とされていることを特徴とするエレベータコンペンチェーン／ケーブルの引掛り検知装置。
【請求項５】
請求項１から請求項４のいずれか１項に記載のエレベータコンペンチェーン／ケーブルの引掛り検知装置であって、
前記昇降路下部に片持ち固定配置されたブラケットは、エレベータのガイドレールより持ち出した構造とされていることを特徴とするエレベータコンペンチェーン／ケーブルの引掛り検知装置。
【請求項６】
請求項１から請求項５のいずれか１項に記載のエレベータコンペンチェーン／ケーブルの引掛り検知装置であって、
前記ブラケットの自由端間に上方に移動可能に可動バーを配置するために、前記ブラケットの自由端に上方に開口する切欠き部を形成していることを特徴とするエレベータコンペンチェーン／ケーブルの引掛り検知装置。
【請求項７】
請求項６に記載のエレベータコンペンチェーン／ケーブルの引掛り検知装置であって、
切欠き部はＶ字状とされていることを特徴とするエレベータコンペンチェーン／ケーブルの引掛り検知装置。
【請求項８】
請求項６に記載のエレベータコンペンチェーン／ケーブルの引掛り検知装置であって、
切欠き部はＵ字状とされていることを特徴とするエレベータコンペンチェーン／ケーブルの引掛り検知装置。
【発明の詳細な説明】
【技術分野】
【０００１】
本発明は、エレベータコンペンチェーン／ケーブルの引掛り検知装置に関する。
【背景技術】
【０００２】
エレベータのコンペンチェーン／ケーブルは、一端が乗かご下部、他端が釣り合い錘下部に連結され、中間部が昇降路内の固定式コンペンチェーン／ケーブルガイド部分で折り返されており、乗かごの昇降によって巻上機にかかるロープ重量のアンバランスを補正する機能を果たしている。
【０００３】
コンペンチェーン／ケーブルは、昇降路内に垂れ下がる形で配置されているので地震や風等での建物の揺れにより振れる。その際、塔内機器設置のブラケットに引掛りを起こし、コンペンチェーン／ケーブルの破断、破損、またはコンペンチェーン／ケーブルガイドの破損を発生させる恐れがある。
【０００４】
このため従来からコンペンチェーン／ケーブルの引掛りを検知する技術として種々のものが知られている。例えば特許文献１では、コンペンチェーンの反転部の上方内側を通過するようにワイヤを張設している。引掛り検出手段は、ワイヤの張力を検出する張力センサと、その張力センサが所定値を超えた場合に、運行を停止する運行停止手段を備えている。これにより、コンペンチェーンの一方に引掛りを生じた状態で、コンペンチェーンの他方が引き上げられた結果として、コンペンチェーンがワイヤを引き上げ、ワイヤに張力が生じていることを検知する。
【先行技術文献】
【特許文献】
【０００５】
【特許文献１】特開２００７−３０２３７２号公報
【発明の概要】
【発明が解決しようとする課題】
【０００６】
しかしながら、特許文献１に記載の手法では、張力センサが所定値を超えた場合に、運行を停止するとしても、ワイヤならびにワイヤの張力を検出する張力センサを破断・破損させる恐れがある。
【０００７】
本発明は、コンペンチェーン／ケーブルの引掛りを簡易な構造で検知でき、また検知時にコンペンチェーン／ケーブルの引掛り検知装置を破損させることのない引掛り検知装置を提供することを目的としている。
【課題を解決するための手段】
【０００８】
上記目的を達成するために、本発明においてはエレベータの乗かごと釣り合い錘が昇降する昇降路内に、乗かごと釣り合い錘との間に吊り下げられたコンペンチェーン／ケーブルの引掛りを検知するためのエレベータコンペンチェーン／ケーブルの引掛り検知装置であって、昇降路下部に２つのブラケットを片持ち固定配置し、当該２つのブラケットの自由端間に上方に移動可能に可動バーを配置し、乗かごと釣り合い錘との間に吊り下げられたコンペンチェーン／ケーブルが可動バーを跨ぐように配置するとともに、可動バーの上方移動に連動して作動する接点機構を備えることを特徴とする。
【発明の効果】
【０００９】
本発明によれば、コンペンチェーン／ケーブルの引掛りを検知できると共に、引掛り検知装置を破損させることのない引掛り検知装置を提供することができる。またこれによって、不要な破断・破損を発生させずに、エレベータを安全に停止することができる。
【図面の簡単な説明】
【００１０】
【図１】一般的なエレベータ装置の全体構成を示す図。
【図２】昇降路下部のコンペンチェーン／ケーブル１０の折り返し部の構成を示す図。
【図３】コンペンチェーン／ケーブル１０が引っ掛かった状態を示す図。
【図４】可動バー１４に連動して駆動される機器構成部分を示す図。
【図５】可動バー１４に連動して駆動される機器構成部分の他の構成例を示す図。
【発明を実施するための形態】
【００１１】
以下、本発明に係るコンペンチェーン／ケーブルの引掛り検知装置の実施例を図に基づき説明する。
【実施例】
【００１２】
図１に一般的なエレベータ装置の全体構成を示している。エレベータ装置は図１に示す様に、昇降路１内を昇降する昇降体として乗かご８と釣り合い錘９を備えている。乗かご８と釣り合い錘９は主ロープ４で連結され、乗かご８と釣り合い錘９の主ロープ４中間部位に巻上機３が設置されている。なお乗かご８は、エレベータを導く起動であるガイドレール（図１には図示せず）に沿って昇降する。
【００１３】
また安全装置として、乗かご８に取付けられたアームにガバナロープ５がその両端を接続され、ガバナロープのループを形成している。このループは機械室の調速機６に巻き掛けられ、かつ、昇降路底部側において張り車を吊っている。
【００１４】
このほか固定側から乗かご１内に電力および信号を伝授するテールコード７が設けられるとともに、乗かご８と釣り合い錘９とを下方で連結するコンペンチェーン／ケーブル１０が備えられている。
【００１５】
コンペンチェーン／ケーブル１０には、地震や強風等で建屋が揺れた際に、ある程度の揺れを抑えるため、固定式のコンペンチェーン／ケーブルガイド１１が設置されている。なお本発明においてコンペンチェーン／ケーブルとは、コンペンチェーンあるいはコンペンケーブルを意味しており、そのいずれであっても本発明に適用可能である。
【００１６】
図３は、コンペンチェーン／ケーブル１０が引っ掛かった状態を示している。この図で、２は昇降路１に高さ方向に固定されたガイドレールであり、乗かご８はガイドレール２を軌道として昇降する。なお、図３には明示していないが、ガイドレール２は乗かご８高さ方向の対向する両側面に設けられた１対の設備である。
【００１７】
また図３において１２は、ガイドレール２に一方が固定保持された塔内機器設置用のブラケット１２である。ブラケット１２は片持ちの梁であり、他方の自由端側に遮蔽板２０を備えている。また遮蔽板２０の対向部位には乗かご８に固定されて昇降するポジテクタ２１が位置づけられ、これにより乗かご８の停止高さ位置を検知している。塔内機器とは、遮蔽板２０を意味している。図３のＡ部は、ブラケット１２の他方の自由端を上から見た構成を示している。
【００１８】
塔内機器設置用のブラケット１２は片持ちの梁であることから、コンペンチェーン／ケーブル１０が地震や風等での建物の揺れにより振れ、塔内機器設置用のブラケット１２に引掛りを起こしやすいことが想定される。係る引掛りを生じたままの状態でエレベータ運行した場合、引掛りを起こしていない側のコンペンチェーン／ケーブル１０が引上げられると、コンペンチェーン／ケーブル１０自体の破断、破損、または固定式のコンペンチェーン／ケーブルガイド１１の破損を発生させる恐れがある。
【００１９】
そのため本実施例では図２に示した構造とする。これにより、コンペンチェーン／ケーブル１０の破断、破損、またはコンペンチェーン／ケーブルガイド１１の破損を防止する。
【００２０】
図２は、昇降路下部のコンペンチェーン／ケーブル１０の折り返し部の構成を示している。ここには高さ方向に配置された１対のガイドレール２が図示されており、この１対のガイドレール２に沿って乗かご８が昇降する。但し、図示の部位は昇降路下部のピット部分であるので乗かご８はこの高さ位置まで降りてくることはない。
【００２１】
本実施例では、１対のガイドレール２のほぼ同じ高さ位置から２つのブラケット１３Ａ、１３Ｂを水平方向に延伸させている。ブラケット１３Ａ、１３Ｂは、その一端がガイドレール２Ａ、２Ｂにそれぞれ固定保持され、他端は自由端とされた片持ち梁構成である。またブラケット１３の自由端側には係止用の空間（係止部）３１が形成されている。係止部はブラケット１３の自由端に設けられた例えばＶ字状の切欠き部である。２つのＶ字状の切欠き部３１Ａ、３１Ｂの間には可動バー１４が乗せられている。なおＶ字状の切欠き部３１はＶ字形状である必要はなく、要するに上方に開口された係止部であればよい。
【００２２】
他方、乗かご８と釣り合い錘９の間に配置されたコンペンチェーン／ケーブル１０は、その折り返し部において前記のＶ字状の切欠き部３１の間に載置された可動バー１４を跨いで配置されている。図２において前面側の乗かご８側のコンペンチェーン／ケーブル１０は、その折り返し部分で可動バー１４を跨ぎ、その後背面側の釣り合い錘９に取り付けられている。
【００２３】
図２のコンペンチェーン／ケーブル１０と可動バー１４の配置関係の場合における動作について以下説明する。このときにも、コンペンチェーン／ケーブル１０が地震や風等での建物の揺れにより振れ、図３に示すように塔内機器設置用のブラケット１２に引掛りを起こし、引掛りを起こしたまま運行したとする。そしてこの運行により、引掛りを起こしていない側のコンペンチェーン／ケーブル１０（図２の例では背面側）が引上げられる。
【００２４】
この状態において図２の本実施例では、可動バー１４はＶ字状の切欠き部３１の間に載置されているだけなので、コンペンチェーン／ケーブル１０の引上げに連動して、逆らうことなく上方に移動する構造となっている。
【００２５】
図４は、可動バー１４に連動して駆動される機器構成部分を示している。この実施例では、中間のピン部分３３がブラケット１３に回動可能に支持されたＬ字状の部材１６は、一端１６２が可動バー１４側に位置してその上方移動により中間のピン部分３３を支点として回動し、他端１６１に設けた接点３４との位置関係を変更する。例えば回動前の状態ではＬ字状の部材１６の他端１６１と接点３４は押圧状態にあるが、回動後の状態ではＬ字状の部材１６の他端１６１が離れて、接点３４の押圧を開放する状態とする。
【００２６】
スイッチ３５は、機械式の接点３４の動作を電気信号としてピットスイッチ３６に伝達し、ピットスイッチ３６によりエレベータの休止、停止処理を実行する。
【００２７】
なお、図４の可動式バー１４の設置部分はくさび型の形状（例えばＶ字状）をしており、そのくさび型の一辺の長さＬは可動バー１４の直径の２倍超の長さとしている。この形状により、通常の走行時のコンペンチェーン／ケーブル１０の移動においては、可動バー１４が外れにくい構造となっている。
【００２８】
また、可動バー１４が外れた場合、コンペンチェーン／ケーブル１０のみが昇降し、他の塔内機器および、塔内機器設置ブラケット１２に引掛りを起こし、二次災害を起こさないように、バーの設置部に接点式のスイッチ１６を設け、可動バー１４が外れると、エレベータは休止する運転方式を設けている。
【００２９】
なお、本実施例では片持ちのブラケット１３をガイドレール２に取り付けた構造を示したが、ピットの固定部に直に設置しても同様の効果が得られる。また、可動バー１４の設置部分の形状をくさび型として説明したが、図５のように半円形の形状でも、本実施例と同様の効果が得られる。また、図２では可動バーの両端を上方移動可能な状態に据え付けたが、これは片方が上方移動可能、他方が上方回転可能のみとすることでも対処できる。
【符号の説明】
【００３０】
１：昇降路
２：ガイドレール
３：巻上機
４：主ロープ
５：ガバナロープ
６：調速機
７：テールコード
８：乗かご
９：釣り合い錘
１０：コンペンチェーン／ケーブル
１１：固定式コンペンチェーン／ケーブルガイド
１２：塔内機器設置のブラケット
１３：ブラケット
１４：可動バー
１６：Ｌ字状部材
２０：遮蔽版
２１：ポジテクタ
３１：係止部（切欠き部）
３３：中間のピン部分
３４：接点
３５：スイッチ
３６：ピットスイッチ
１６１：Ｌ字状部材の一端
１６２：Ｌ字状部材の他端
【図１】
2015157663.tif 000003
【図２】
2015157663.tif 000004
【図３】
2015157663.tif 000005
【図４】
2015157663.tif 000006
【図５】
2015157663.tif 000007